(57)【要約】      （修正有）【課題】深礎基礎工事において、立坑内にライナ−プレ−トを組立てて据付けた円形支保工によって躯体部を構成する縦筋とフ−プ筋の坑内での建込み作業を安全かつ能率的に行うことができる躯体配筋組立用治具を提供する。【解決手段】立坑の中に構設したライナープレート１の横フランジ２の連結ボルト孔にフープ筋５を支保する鋼棒のブラケット１１が取着されている配筋組立用のガイドバー１０を２個のスペースホルダー１２を使って円形支保工１の内側面に数本垂設する。ガイドバー１０のブラケット１１の上に輪状のフープ筋５を下部から順次、載置、定着し、数段のフープ筋５をブラケット１１の上に載設した後、繞設したフープ筋５の内側に上から降ろした縦筋４を坑底地盤９に敷設したスペーサーブロック６上に載せて建ち上げ、水平に繞設したフープ筋５と垂設した縦筋４を針金により緊縛、定着し、円形の支保工１内に円筒状の鉄筋籠を構成する。【選択図】図１
0003158383.tif 000002
【実用新案登録請求の範囲】
【請求項１】
立坑内にライナ−プレ−トを組立てて構設した円形支保工によって深礎基礎の躯体部を構築する場合のコンクリ−ト打設前に行う躯体配筋組立作業において
（イ）フ−プ筋を載設するブラケット（鋼棒）が取着されたガイドバ−（段取金具）を円    形支保工の内側に配置、垂設するため、所定の間隔をおいて配設する２個のスペ−ス    ホルダ−（支持金具）をライナ−プレ−トの横フランジに穿設の連結ボルト孔を使っ    て支保工に締着、固定すること
（ロ）垂設、固定した数本のガイドバ−のブラケット上に下部から順次、輪状のフ−プ筋    を数段載置し、ブラケットとフ−プ筋の交点を針金で緊縛、定着すること
（ハ）繞設したフ−プ筋の内側に縦筋を配設するため坑底地盤に敷設したコンクリ−トの    スペ−サ−ブロックに上から降ろした縦筋を載せて建て上げた後、縦筋とフ−プ筋と    の交点を針金（焼鈍鉄線）で緊縛、定着して坑内に躯体配筋を組立ててなる円筒状の    鉄筋籠を構設することを特徴とする躯体配筋組立用治具。
【考案の詳細な説明】
【技術分野】
【０００１】  本考案は、送電鉄塔の杭基礎工事において、立坑の掘進に使用するライナ−プレ−トを組立てて坑内に構設した円形支保工よって深礎基礎の杭体を構造する場合の駆体コンクリ−ト打設前に行う躯体を構成する鉄筋（主鉄筋と帯鉄筋）の配筋、組立、定着などの建込み作業を安全かつ能率的に実施するため支保工内に構設する治具に関する。
【背景技術】
【０００２】  従来、行われている躯体部の配筋、組立作業は、図４の（ａ）（ｂ）に示すように、主鉄筋（以下、縦筋ともいう）を立坑内に構設したライナ−プレトの横フランジの連結用ボルト孔を使って縦筋の支持金具を上下に２ヵ所取付け、この金具と削孔底に敷設したコンクリ−トブロックに載せて建ち上げた縦筋とを繋止し、数本の縦筋を支保工の内側面に沿って垂設した後、半輪状の帯鉄筋（以下、フ−プ筋ともいう）２本を継合し、下部より順次、所定の間隔をおいて数本のフ−プ筋を縦筋の裏側に沿って巻回し、水平に繞設した後、縦筋とフ−プ筋の交点を結束線によって繋縛、固定し、円筒状の鉄筋籠を構成している。【０００３】  また、図５に示す公開技術においては、立坑を構成するライナ−プレ−トの横フランジ部に躯体部を構成する縦筋とフ−プ筋を配設、支持するためにガイドバ−とスライドレバ−と支持レバ−より構成される「立坑用フ−プ筋段取金具」を立坑の坑底部より上部のライナ−プレ−トの横フランジに装着し、その支持レバ−にフ−プ筋を輪状に載設した後、上部より降ろした縦筋を支保工の内側に沿って繞設されたフ−プ筋の外側に建ち上げて垂設し、その縦筋とフ−プ筋とを繋縛、定着して坑内に円筒状の鉄筋籠を構成している。
しかし、これらの手法においては、以下に述べるような問題があった。【０００４】  すなわち、図４の（ａ）（ｂ）に示す手法においては、最初に円形支保工の内周面に沿って複数の縦筋を垂設した後、半輪状のフ−プ筋２本を継合し、そのフ−プ筋を縦筋の裏側に巻回し、等間隔で水平状態に繞設した後、縦筋に繋縛、定着しなければならないので駆体配筋に手間が掛るので極めて能率が悪く、作業性、実用性に欠けていた。【０００５】  また、図５に示す手法においては、従来工法に比べて躯体部構成のフ−プ筋を円形支保工の内側に水平配設しで支持、繞設した後、縦筋を配設してフ−プ筋と縦筋とを繋縛する手順なので能率的であり、優れているが、ガイドバ−に回動自在な支持レバ−と摺動自在なスライドレバ−が具備された着脱自在な「立坑用フ−プ筋段取金具」を支保工の礎底部より上段のライナ−プレ−トの横フランジ部に取付けて垂設し、下部より順次、躯体部の配筋、組立作業を上部に向かって行っているが、支持レバ−にフ−プ筋を載置した後、上から降ろして垂設した縦筋とを繋縛してフ−プ筋を水平状態に定着した後でなければ支持レバ−を折畳むことができない構造のため段取金具を上部に移し替えることができないことと下部で配筋、結束する仕事と段取金具を上部に移行する仕事との混在作業となるので多くの作業員が必要となり物品の落下等が予想されることとフランジ部に装着する段取金具の取付機構が複雑（多岐、多様）で、取扱い操作が難しいことのほか装着した段取金具のすべてを最終的に撤去することなど坑内作業での安全性、能率性に問題があった。
【先行技術文献】
【０００６】
【特許文献１】実開平６−５７９８９号公報
【特許文献２】特開２０００−２８２７７７号公報
【考案の概要】
【考案が解決しようとする課題】
【０００７】  この考案は、従来技術における問題点に鑑み、立坑内での駆体部配筋、組立作業を簡便な金具類の取付け操作によって安全、容易かつ能率的に行うことができる治具（本案は、支保工に添装した金具によって配筋材を組立てる用具のこと）を創作することとした。
【課題を解決するための手段】
【０００８】  この課題を解決するに当たっては、どのような技術的見地より治具を構成するか、その手段（手順、手法）について鋭意、研究、試作のうえ工事現場において実地検証の結果、知見されたこととしては、
（１）．フ−プ筋を載設、保持する金具のガイドバ−にブラケット（腕金）を具備する。
（２）．ガイドバ−を２個の支持金具を使って上下の支保工のフランジ面に取着する。
（３）．ガイドバ−を礎底部より順次、上方に向かって構設する。
（４）．下段より順次、フ−プ筋をブラケット上に載設し、支保工の円側面に繞設する。
（５）．上から降ろした縦筋をブロックに載設して建ち上げフ−プ筋の内側に垂設する。
このほか、治具の構造を簡便（製作、取付、取扱い容易で軽量）にすることであった。【０００９】  そのため、（ａ）．複数のフ−プ筋を載設、保持するガイドバ−と、そのガイドバ−をライナ−プレ−トの横フランジに取着するスペ−スホルダ−に等辺山形鋼を使用する。（ｂ）．各フ−プ筋を載置するブラケットに鋼棒を使用し、これをガイドバ−に溶着する。（ｃ）．所定の間隔で配設された縦筋とフ−プ筋との交点を針金（焼鈍鉄線）で緊結することとした。
このことによって治具が軽量化されるとともに金具の取付作業が容易になった。
【考案の効果】
【００１０】  上述のように構成された本考案による躯体配筋組立用の治具を使用するに当たっては、躯体の配筋、組立、繋着作業を順次、下部から上方に向かって行うこと。フ−プ筋を円形支保工の内側面に沿って水平に繞設した後、その内側に縦筋を下部の坑底部より建ち上げて垂設するためフ−プ筋を縦筋の外側に巻回する必要がないこと。作業手順と手法が簡単で作業員が上下に移動して同時作業をする必要がないことのほか軽量で簡便な治具を使用することによって坑内での作業を安全かつ容易に行うことができることなど極めて能率的であり、工程の短縮、省力化によるコスト低減が図られるなど多くの効果を奏する。
【図面の簡単な説明】
【００１１】
【図１】本考案の配筋組立用治具の立坑内での使用状態を示す斜視図
【図２】ライナ−プレ−トの内側に装設する配筋組立用治具の構成図  （ａ）同組立用治具の側面図  （ｂ）同組立用治具の平面図  （ｃ）スペ−スホルダ−（ライナ−プレ−ト取着用金具）の形状図
【図３】立坑内に組立用治具を使って躯体配筋する状態を示す断面図  （１）円形支保工の内側に配設筋を支持装着する金具を取着したとき  （２）支持装着金具のブラケットにフ−プ筋を水平に繞設したとき  （３）フ−プ筋の内側に垂設した縦筋とフ−プ筋とを繋着したとき
【図４】従来工法における円形支保工内の配筋組立状態を示す斜視図  （ａ）ライナ−プレ−トと縦筋を支持金具により垂設したとき  （ｂ）垂設した数本の縦筋の外側にフ−プ筋を数段繞設したとき
【図５】公開技術の立坑用フ−プ筋段取金具による施工を示す斜視図
【考案を実施するための形態】
【００１２】  本考案による治具は、図１〜図３に示すように鋼棒のブラケットを具設してなるガイドバ−を円形支保工の内側に垂設するため２個のスペ−スホルダ−を所定の間隔をおいて配設し、これをライナ−プレ−トの横フランジの孔にボルト締着し、ガイドバ−を支保工に固定する。また、ガイドバ−に取着のブラケット上に輪状のフ−プ筋を載設し、針金で緊結する。さらに、坑底地盤に敷設したスペ−サ−ブロックに載せた縦筋を建ち上げて垂設する。そして、繞設した数段のフ−プ筋と垂設した数本の縦筋との交点を針金で緊結し、縦筋とフ−プ筋よりなる円筒状の鉄筋籠を支保工の内側面に沿って構成する。
【実施例】
【００１３】  以下、添付図面に従って実施例を説明する。図１は、躯体配筋組立用治具の立坑８内での使用状況を示す斜視図で、深礎基礎を構築するため立坑８の削孔面に構設された波型プレ−トよりなる円弧状のライナ−プレ−ト１を数段継合して構成した円形の支保工１の内側面に沿って１ロッドの長さが５〜７ｍ、幅４．５ｃｍ、厚さ４ｍｍの等辺山形鋼よりなるガイドバ−１０にフ−プ筋５を載設する鋼棒のブラケット１１が数本具設（溶着）されており、該ガイドバ−１０を上下のライナ−プレ−ト１の横フランジ２に等辺山形鋼よりなる２個のスペ−スホルダ−１２を使って支保工１と鉄筋との“かぶり”ｌ（１０ｃｍ）を保持した状態で鉛直に取付け（螺着）、坑底部９より順次、フ−プ筋５をブラケット１０に載設し、針金で緊結した後、坑底地盤９に敷設したスペ−サ−ブロック６に載設した縦筋４を所定の間隔Ｌ（２０〜４０ｃｍ）を保持する状態で図４（ｂ）に示すように数本の縦筋４を立坑８内に垂設し、支保工の内側面に沿って繞設されたフ−プ筋５との交点を針金で緊結する。【００１４】  図２は、ライナ−プレ−ト１の内側に装設する配筋組立用治具の構成を示す図面で、同図（ａ）は、側面図、同図（ｂ）は、平面図、同図（ｃ）は、スペ−スホルダ−１２の形状図で、スペ−スホルダ−１２を所定の間隔Ｈ（１００ｃｍ）をおいて上下のライナ−プレ−ト１の横フランジ２の連結用ボルト孔１３に螺着し、スペ−スホルダ−１２にブラケット１１が所定の間隔ｄ（３０〜４０ｃｍ）をおいて数段具設されたガイドバ−１０を螺着し、ブラケット１１にフ−プ筋５を載設して定着した後、建ち上げた縦筋４と繞設されたフ−プ筋５との交点を結束線（焼鈍鉄線）で緊結する。【００１５】  図３は、立坑８内に配筋組立用治具を使って躯体部の配筋状態を示す断面図で、同図の（１）は、円形支保工１の内側にブラケット１１が付いたガイドバ−１０をライナ−プレ−ト１の横フランジ２に取着したときの配設状況を示すもので、同図（２）は、ブラケット１１にフ−プ筋５を載設して繞設したときの配設状況を示すもので、同図（３）は、フ−プ筋５の内側に縦筋４をそれぞれ所定の間隔Ｌをおいて垂設したときの配設状況を示すもので、鉛直に配設した数本の縦筋４と水平に配設した数本のフ−プ５とが相互緊結されて円形支保工１の内周面に沿って円筒状の鉄筋籠が構成される。
【符号の説明】
【００１８】１    ライナ−プレ−ト（支保工）
２    横フランジ（水平方向）
３    縦フランジ（縦方向）
４    主鉄筋（縦筋）
５    帯鉄筋（フ−プ筋）
６    スペ−サ−ブロック（コンクリ−ト）
７    支持金具（従来手法、縦筋用）
８    立坑
９    坑底地盤（礎底部）
１０  ガイドバ−（等辺山形鋼）
１１  ブラケット（鋼棒）
１２  スペ−スホルダ−（等辺山形鋼）
１３  連結ボルト孔（ライナ−プレ−ト継合用）
１４  連結ボルト孔（対ライナ−プレ−ト）
１５  連結ボルト孔（対ガイドバ−）
Ｈ    取付間隔（スペ−スホルダ−相互、縦幅）
Ｌ    取付間隔（主鉄筋相互、横幅）
ｄ    取付間隔（ブラケッ相互、縦幅）
ｌ    かぶり（支保工〜鉄筋間、スペ−ス）
【図１】
0003158383.tif 000003
【図２】
0003158383.tif 000004
【図３】
0003158383.tif 000005
【図４】
0003158383.tif 000006
【図５】
0003158383.tif 000007
【手続補正書】
【提出日】平成22年1月9日(2010.1.9)
【手続補正１】
【補正対象書類名】実用新案登録請求の範囲
【補正対象項目名】全文
【補正方法】変更
【補正の内容】
【実用新案登録請求の範囲】
【請求項１】
立坑内にライナ−プレ−トを組立てて構設した円形支保工によって深礎基礎の躯体部を構築する場合のコンクリ−ト打設前に行う躯体配筋組立作業において
（イ）フ−プ筋を支保する鋼棒のブラケットが取着されている等辺山形鋼よりなる配筋組    立用のガイドバ−を２個の等辺山形鋼よりなるスペ−スホルダ−を所定の間隔をおい    てライナ−プレ−トの横フランジに穿設の連結用のボルト孔を使って取付け、円形支    保工の内側面に数本垂設すること
（ロ）垂設した数本のガイドバ−のブラケット上に輪状のフ−プ筋を下部から順次、数段    載置し、水平に繞設したフ−プ筋とブラケットとの交点を結束線で緊結すること
（ハ）ブラケット上に水平に繞設した数本のフ−プ筋の内側に上から降ろした縦筋を坑底    地盤に敷設したコンクリ−トのスペ−サ−ブロック上に載せて建ち上げた後、縦筋と    フ−プ筋との交点を結束線で緊結することによって円形の支保工内に躯体配筋を組立    てて円筒状の鉄筋籠を構設することを特徴とする躯体配筋組立用の治具。